(57)【特許請求の範囲】
【請求項１】
第１のケースに取り付けられた複数の第１の保持部材と、
第２のケースに取り付けられた複数の第２の保持部材と、
前記第１の保持部材と前記第２の保持部材の少なくとも一方に、保持対象の基板の外周における端部のうち、前記第１のケースの側面に平行な前記端部又は前記第２のケースの側面に平行な前記端部を挟持する基板挟持部を備え、
前記第１のケースと前記第２のケースとで筐体を組み立てたとき、前記基板挟持部と前記第１の保持部材又は前記第２の保持部材とにより前記保持対象の基板の前記端部が挟持されて前記筐体に保持されることを特徴とする筐体。
【請求項２】
前記第１の保持部材と前記第２の保持部材が前記保持対象の基板の外周表裏面の前記端部を飛び飛びに挟持する
ことを特徴とする請求項１に記載の筐体。
【請求項３】
前記第１のケースと前記第１の保持部材が、または前記第２のケースと前記第２の保持部材が接着される
ことを特徴とする請求項１または２に記載の筐体。
【請求項４】
前記第１のケース及び前記第２のケースのうち少なくとも一方が嵌合用の穴を備え、前記第１の保持部材または前記第２の保持部材のうち前記嵌合用の穴のある方のケースに取り付ける保持部材が嵌合用の突起を備え、前記穴と前記突起が嵌合される
ことを特徴とする請求項１から３のいずれか１項に記載の筐体。
【請求項５】
前記第１の保持部材同士または前記第２の保持部材同士が連結して前記第１のケースまたは前記第２のケースに取り付けられる
ことを特徴とする請求項１から４のいずれか１項に記載の筐体。
【請求項６】
前記穴が貫通していない
ことを特徴とする請求項４または５に記載の筐体。
【請求項７】
前記第１の保持部材の形状と前記第２の保持部材の形状が同一である
ことを特徴とする請求項１から６のいずれか１項に記載の筐体。
【請求項８】
前記第１の保持部材と前記第２の保持部材の少なくとも一方に相互に嵌合する部位を備えることを特徴とする請求項１から７のいずれか１項に記載の筐体。
【請求項９】
第１のケースに取り付けられる第１の保持部材と第２のケースに取り付けられる第２の保持部材であり、
前記第１の保持部材と前記第２の保持部材の少なくとも一方に、保持対象の基板の外周における端部のうち、前記第１のケースの側面に平行な前記端部又は前記第２のケースの側面に平行な前記端部を挟持する基板挟持部を備え、
前記第１のケースと前記第２のケースとで筐体を組み立てたとき、前記基板挟持部と前記第１の保持部材又は前記第２の保持部材とにより前記保持対象の基板の前記端部を飛び飛びに挟持することを特徴とする保持部材。
【請求項１０】
第１のケースと第２のケースとで筐体を組み立てたとき、前記第１のケースに取り付けられた第１の保持部材と前記第２のケースに取り付けられた第２の保持部材の少なくとも一方に保持対象の基板の外周における端部のうち、前記第１のケースの側面に平行な前記端部又は前記第２のケースの側面に平行な前記端部を挟持する基板挟持部を備えた、前記基板挟持部と前記第１の保持部材又は前記第２の保持部材とにより前記保持対象の基板の前記端部が挟持される
ことを特徴とする基板保持方法。
【発明の詳細な説明】
【技術分野】
【０００１】
本発明は、基板の実装での制約を軽減して基板実装面積を拡大できる筐体、保持部材および基板保持方法に関する。
【背景技術】
【０００２】
近年、筐体の小型化や基板実装の高密度化にともない、基板実装面積の拡大やネジレス化の要求が高まっている。筐体への基板の固定方法は、固定用の穴が設けられた基板が筐体にネジで固定される方法が一般的である。この場合、基板には、部品やパターン配線の実装での制約が課される。
【０００３】
特許文献１には、シールドボックスでの基板の保持構造が開示されている。具体的には、特許文献１の技術では、シールドボックスの下部筐体の底部に弾性部材を置いて、弾性部材の上に基板が載せられる。特許文献１の技術は、上部筐体の解放側端部が基板の外周部を押して、基板の下で弾性変形された弾性部材と上部筐体の解放側端部との挟圧状態のもとで基板が保持される技術である。
【０００４】
特許文献２には、電子装置のケース底部に基板台座が設けられたケースと、基板台座に対向して突起が設けられたカバーとが係合って組み立てられることによって、基板台座と突起とで基板が挟持される筐体構造が開示されている。
【０００５】
特許文献３には、電子装置の基板の保持構造が開示されている。具体的には、特許文献３の技術は、下ケースに設けられた基板台座と、基板台座に対向して上ケースに設けられた突起を備えた突起台座とで基板が挟持される技術である。この場合、突起台座に設けられた突起に対応して、基板には貫通穴が設けられる。特許文献３の技術は、上ケースの突起台座の突起が基板の貫通穴を通して下ケースの基板台座と突合して変形することで、基板が保持される技術である。
【先行技術文献】
【特許文献】
【０００６】
【特許文献１】実開平０６−０１３１９５号公報（第４−７頁、図１、２）
【特許文献２】特開２００６−０４１３０３号公報（第３−５頁、図１）
【特許文献３】特開２００５−３１７６９２号公報（第３、４頁、図１、２）
【発明の概要】
【発明が解決しようとする課題】
【０００７】
特許文献１−３の技術では、基板を筐体に固定するためのネジは使用されないので、ネジレス化が実現されている。しかし、特許文献１−３の技術では、筐体を構成するケースやカバーに設けられた解放側端部、突起部および台座部により基板が挟持される。そのため、特許文献１−３の技術では、前述の解放側端部、突起部および台座部に基板が接触する部位とその近傍には、部品やプリント配線の実装での制約が課される。さらに、特許文献３の技術では、基板に貫通穴が必要となる。
【０００８】
すなわち、特許文献１−３の技術では、部品やパターン配線を不可とする範囲の制約が基板に課され、制約を順守する必要がある。そのため、特許文献１−３の技術には、基板実装面積を拡大できないという課題がある。
【０００９】
本発明は、上記の課題に鑑みてなされたもので、基板の実装での制約を軽減して基板実装面積を拡大できる筐体、保持部材および基板保持方法を提供することを目的とする。
【課題を解決するための手段】
【００１０】
本発明にかかる筐体は、第１のケースに取り付けられた複数の第１の保持部材と、第２のケースに取り付けられた複数の第２の保持部材と、第1の保持部材と第２の保持部材の少なくとも一方に、保持対象の基板の端部を挟持する基板挟持部を備え、第１のケースと第２のケースとで筐体を組み立てたとき、第１の保持部材と第２の保持部材により保持対象の基板の端部が挟持されて筐体に保持されることを特徴とする。
【００１１】
本発明にかかる保持部材は、第１の保持部材と第２の保持部材であり、第１の保持部材と第２の保持部材の少なくとも一方に、保持対象の基板の端部を挟持する基板挟持部を備え、第１の保持部材と第２の保持部材により保持対象の基板の端部を飛び飛びに挟持することを特徴とする。
【００１２】
本発明にかかる基板保持方法は、第１のケースと第２のケースとで筐体を組み立てたとき、第１のケースに取り付けられた第１の保持部材と第２のケースに取り付けられた第２の保持部材の少なくとも一方に保持対象の基板の端部を挟持する基板挟持部を備えた、第１の保持部材と第２の保持部材により保持対象の基板の端部が挟持されることを特徴とする。
【発明の効果】
【００１３】
本発明によれば、基板の実装での制約を軽減して基板実装面積を拡大することができる。
【図面の簡単な説明】
【００１４】
【図１】本発明の第１の実施形態の保持部材の構成例を示す外観図である。
【図２】本発明の第１の実施形態の筐体の構成例を示す外観図である。
【図３】本発明の第１の実施形態の筐体の構成例を示す部分断面図である。
【図４】本発明の第１の実施形態の保持部材の他の構成例を示す外観図である。
【図５】本発明の第２の実施形態の保持部材の構成例を示す外観図である。
【図６】本発明の第２の実施形態の筐体の構成例を示す外観図である。
【図７】本発明の第２の実施形態の筐体の構成例を示す部分断面図である。
【図８】本発明の第３の実施形態の保持部材の構成例を示す説明図である。
【図９】本発明の第４の実施形態の保持部材の構成例を示す組み立て説明図である。
【図１０】本発明の第４の実施形態の保持部材の構成例を示す部分断面図である。
【発明を実施するための形態】
【００１５】
以下に、本発明の実施形態について図面を参照して詳細に説明する。
（第１の実施形態）
本発明の第１の実施形態について説明する。図１は、本実施形態の保持部材１０および保持部材２０の構成例を示す外観図である。
【００１６】
図１を参照して、保持部材１０および２０の構成について説明する。図１(a)は、保持部材１０の外観図である。保持部材１０は、途中で直角に曲がった骨材１１と板状のリブ１４を備える。骨材１１は、骨材外側面１２と骨材内側面１３を備え、骨材内側面１３に直角に板状のリブ１４を設ける。骨材外側面１２が筐体内面に当接する。図１(b)は、保持部材２０の外観図である。保持部材２０は、途中で直角に曲がった骨材２１と板状のリブ２４を備える。骨材２１は、骨材外側面２２と骨材内側面２３を備え、骨材内側面２３に直角に板状のリブ２４を設ける。リブ２４は、基板挟持部２５を備える。骨材外側面２２が筐体内面に当接する。  図２は、本実施形態の筐体１００の構成例を示す外観図である。図２を参照して、筐体１００の構成について説明する。筐体１００は、カバー１０１とケース１０２を備える。筐体１００は、ケース１０２にカバー１０１が被せられ、筐体固定用ネジ１０３によりカバー１０１とケース１０２が固定されて、組み立てられる。
【００１７】
図３は、本実施形態の筐体１００の構成例を示す部分断面図である。図３は、図２で示した筐体１００のａ−ａ’線での断面を、Ａ方向から見た断面図である。図３を参照して、本実施形態について説明する。
【００１８】
カバー１０１には、複数の保持部材１０が取り付けられる。ケース１０２には、複数の保持部材２０が取り付けられる。ケース１０２に取り付けられた複数の保持部材２０の基板挟持部２５には、基板３０の端部が載せられる。カバー１０１に取り付けられた複数の保持部材１０のリブ１４は、それぞれ、基板３０の端部の表面に接触する。カバー１０１とケース１０２が筐体固定用ネジ１０３で固定されることにより、基板３０の外周の表裏面の端部は、保持部材１０と保持部材２０とで飛び飛びに挟持される。本実施形態ではカバー１０１の方がケース１０２より高さがあるため、保持部材１０は保持部材２０より長いサイズにしている。基板３０をケース１０２内でどの程度の高さで保持したいかによって保持部材１０、２０のサイズは適宜変更すればよい。
【００１９】
このように、本実施形態では、ケースとカバーに取り付けられた保持部材により基板端部が挟持され、基板が筐体に保持される。本実施形態は、基板端部のみを挟持するので、基板に対する部品やパターン配線の実装での制約を軽減することができる。
【００２０】
特許文献1でも、第1の筐体の開放端側のエッジ11aと弾性体13で基板14の周縁を挟持している（0017段落）。しかし、エッジ11aと弾性体13は基板14と全面で接触していて実装に制約がある。しかし、本実施形態では、幅の狭い保持部材を筐体の内周に飛び飛びに設けてあるだけなので、実装を殆ど制約しない。また、保持部品は基板の保持が可能であれば、任意の位置に取り付けることができるので、実装を殆ど制約せず、基板の実装変更などに容易に対応することができる。
【００２１】
さらに、本実施形態では、筐体を構成するケースおよびカバーには、保持部材が取り付けられるだけなので、基板を保持するための特殊な突起や専用の台座を設ける必要がない。そのため、本実施形態では、ケースやカバーの金型や鋳型を単純な形状にすることができるので、ケースとカバーのコストは軽減される。なお、本実施形態では、ケースやカバーと比較して小さい、保持部材のための金型や鋳型を使う。しかし、本実施形態では、基板を挟持する保持部材として共通化やメニュー化を行うことができるので、保持部材のコストは軽減することができる。
【００２２】
さらに、本実施形態では、基板の保持位置の変更に際して、ケースおよびカバーの金型や鋳型を変更する必要がなく、保持部材の取り付け位置の変更や追加で対応することができる。したがって、本実施形態は、上記の変更にともなう期間とコストを大幅に軽減することができる。
【００２３】
なお、本実施形態では、ケースおよびカバーへの保持部材の取付け方法は限定されない。例えば、保持部材は、ケースおよびカバーに接着されてもよいし、溶着、圧着、嵌合などの方法で取り付けられてもよい。
【００２４】
また、本実施形態では、ケースとカバーを筐体固定用ネジで固定して筐体が組み立てられると説明したが、筐体の組み立て方法はネジによる方法に限定されない。例えば、ケースとカバーが接着や溶着、圧着、嵌合などの方法で固定され、筐体が組み立てられてもよい。
【００２５】
また、本実施形態では、ケースおよびカバー、保持部材の素材は限定されない。例えば、ケースおよびカバー、保持部材の素材は、それぞれ、金属でもよいし、樹脂でもよい。
【００２６】
また、本実施形態では、保持部材は個々にケースおよびカバーに取り付けられると説明した。しかし、保持部材同士が連結された状態でケースおよびカバーに取り付けられてもよい。例えば、図４(a)、(b)に示すように、所定の間隔で保持部材同士が連結されていれば、保持部材同士が連結された状態で使用されてもよいし、保持部材が切り離され、個々に使用されてもよい。
（第２の実施形態）
本発明の第２の実施形態について説明する。図５は、本実施形態の保持部材４０および保持部材５０の構成例を示す外観図である。
【００２７】
図５を参照して、保持部材４０および５０の構成について説明する。図５(a)は、保持部材４０の外観図である。保持部材４０は、途中で直角に曲がった骨材４１と板状のリブ４４を備える。骨材４１は、骨材外側面４２と骨材内側面４３を備え、骨材内側面４３に直角に板状のリブ４４を設ける。骨材外側面４２は、表面に突起４５を備え、筐体内面に当接する。図５(b)は、保持部材５０の外観図である。保持部材５０は、途中で直角に曲がった骨材５１と板状のリブ５４を備える。骨材５１は、骨材外側面５２と骨材内側面５３を備え、骨材内側面５３に直角に板状のリブ５４を設ける。リブ５４は、基板挟持部５５を備える。骨材外側面５２は、表面に突起５６を備え、筐体内面に当接する。
【００２８】
図６は、本実施形態の筐体１０４の構成例を示す外観図である。図６を参照して、筐体１０４の構成について説明する。筐体１０４は、カバー１０５とケース１０６を備える。筐体１０４は、ケース１０６にカバー１０５が被せられ、筐体固定用ネジ１０３によりカバー１０５とケース１０６が固定されて、組み立てられる。
【００２９】
図７は、本実施形態の筐体１０４の構成例を示す部分断面図である。図７は、図６で示した筐体１０４のａ−ａ’線での断面を、Ａ方向から見た断面図である。図７を参照して、本実施形態について説明する。
【００３０】
カバー１０５には、カバー１０５の側面および天井面に設けられた穴１０７に、保持部材４０の突起４５がカバー１０５の内側から嵌め合わされて、複数の保持部材４０が取り付けられる。ケース１０６には、ケース１０６の側面および底面に設けられた穴１０８に、保持部材５０の突起５６がケース１０６の内側から嵌め合わされて、複数の保持部材５０が取り付けられる。
【００３１】
ケース１０６に取り付けられた複数の保持部材５０の基板挟持部５５には、基板３０の端部が載せられる。カバー１０５に取り付けられた複数の保持部材４０のリブ５４は、それぞれ、基板３０の端部の表面に接触する。カバー１０５とケース１０６が筐体固定用ネジ１０３で固定されることにより、基板３０の外周の表裏面の端部は、保持部材４０と保持部材５０とで挟持される。
【００３２】
このように、本実施形態では、ケースとカバーに取り付けられた保持部材により基板端部が挟持され、基板が筐体に保持される。本実施形態は、第１の実施形態と同様に基板端部のみを挟持するので、基板に対する部品やパターン配線の実装での制約を軽減することができる。さらに、本実施形態では、保持部材の突起により保持部材がケースおよびカバーに取り付けられるので、保持部材の取り付け作業が容易化される。
【００３３】
なお、本実施形態では、ケースおよびカバーに保持部材の突起を嵌合させる穴は、貫通した穴として説明した。しかし、嵌合に使用される穴は、保持部材の突起と嵌合できればよく、貫通していなくてもよい。
【００３４】
また、本実施形態では、保持部材の突起の数を２つまたは３つとして例示したが、保持部材の突起の数は１つでもよいし、４つ以上でもよい。すなわち、保持部材の突起の数に対応してケースおよびカバーに嵌合穴が設けられ、保持部材が嵌合によりケースおよびカバーに取り付けられればよい。
【００３５】
また、本実施形態では、各保持部材に設けられた突起がケースおよびカバーに設けられた穴に嵌合させられ、各保持部材が基板端部を挟持して基板を保持できれば、ケースおよびカバー、保持部材の素材は限定されない。例えば、ケースおよびカバー、保持部材の素材は、それぞれ、金属でもよいし、樹脂でもよい。
（第３の実施形態）
本発明の第３の実施形態について説明する。図８は、本実施形態の保持部材６０の構成例を示す説明図である。
【００３６】
図８を参照して、保持部材６０の構成について説明する。保持部材６０は、途中で直角に曲がった骨材６１と板状のリブ６４を備える。骨材６１は、骨材外側面６２と骨材内側面６３を備え、骨材内側面６３に直角に板状のリブ６４を設ける。リブ６４は、基板挟持部６５を備える。骨材外側面６２は、表面に突起６６を備え、筐体内面に当接する。上下の保持部材６０は寸法、形状が同じである。
【００３７】
保持部材６０は、前述の実施形態と同様に、ケースおよびカバーに設けられた穴に突起６６を嵌合させて取り付けられる。基板３０の外周の表裏面の端部は、筐体を構成するケースおよびカバーに取り付けられた保持部材６０の基板挟持部６５により挟持される。
【００３８】
このように、本実施形態は、第２の実施形態と同様の効果を得ることができる。さらに、本実施形態では、同一の保持部材がケースとカバーに取り付けられるので、保持部材の共通化が促進される。そのため、本実施形態は、保持部材のコストをさらに軽減できるという効果が得られる。
（第４実施形態）
本発明の第４の実施形態について説明する。図９は、本実施形態の保持部材７０の構成例を示す組み立て説明図である。図１０は、本実施形態の保持部材７０の使用例を示す部分断面図である。
【００３９】
図９、１０を参照して、保持部材７０の構成について説明する。保持部材７０は、途中で直角に曲がった骨材７１と板状のリブ７４を備える。骨材７１は、骨材外側面７２と骨材内側面７３を備え、骨材内側面７３に直角に板状のリブ７４を設ける。骨材７１の下端部には、筐体内側へ向かってクランク状に曲がったリブ挟持部７５を備える。
【００４０】
リブ挟持部７５は、図５(b)および図７で説明した保持部材５０のリブ５４を挟み込んで保持する。この場合、保持部材５０は、突起５６をケース１０６の穴１０８にケース１０６の内側から嵌合させて取り付けられる。基板３０の端部は、保持部材５０の基板挟持部５５に載せられる。保持部材７０は、基板３０の端部が基板挟持部５５に載せられたリブ５４をリブ挟持部７５で挟み込んで保持するように、保持部材５０に矢印の方向から嵌合される。さらに、カバー１０１は、保持部材７０を上から押さえ込むように、保持部材５０が取り付けられたケース１０６と筐体固定用ネジ１０３により固定される。
【００４１】
このように、保持部材７０は、保持部材５０にリブ挟持部７５で嵌合され、保持部材５０とで基板３０の外周の表裏面の端部を挟持する。
【００４２】
したがって、本実施形態は、第２の実施形態と同様の効果を得ることができる。さらに、本実施形態の保持部材７０は、カバーに嵌合用の穴を設けることなくケース側の保持部材５０を取り付けることができる。そのため、本実施形態では、保持部材の取り付け作業がさらに容易化される。
【００４３】
なお、本実施形態では、保持部材同士が嵌合する部位が一方の保持部材に設けられると説明した。しかし、保持部材同士が嵌合する部位は、保持部材の双方に設けられてもよい。例えば、一方の保持部材には他の保持部材と嵌合させるための凹部が設けられ、他の保持部材には嵌合させるための凸部が設けられる。基板３０の端部が挟持された状態で双方の保持部材の凸部と凹部が嵌合されてもよい。
【００４４】
なお、本願発明は、上述の各実施形態に限定されるものではなく、本願発明の要旨を逸脱しない範囲で種々変更、変形して実施することができる。
【００４５】
例えば、保持部材に設けられる突起の形状は、円柱や多角形の角柱であってもよいし、突起の先端は、面取りされた形状や円弧状に形成された形状でもよい。すなわち、本願発明で使用される突起は、ケースやカバーに設けられた穴に対応して嵌合できるものであればよく、突起の形状や突起の先端の形状は限定されない。
【００４６】
上記の実施形態の一部または全部は、以下の付記のように記載されうるが、以下には限られない。
（付記１）
第１のケースに取り付けられた複数の第１の保持部材と、
第２のケースに取り付けられた複数の第２の保持部材と、
前記第1の保持部材と前記第２の保持部材の少なくとも一方に、保持対象の基板の端部を挟持する基板挟持部を備え、
前記第１のケースと前記第２のケースとで筐体を組み立てたとき、前記第１の保持部材と前記第２の保持部材により前記保持対象の基板の前記端部が挟持されて前記筐体に保持されることを特徴とする筐体。
（付記２）
前記第１の保持部材と前記第２の保持部材が前記保持対象の基板の外周表裏面の前記端部を飛び飛びに挟持する
ことを特徴とする付記１に記載の筐体。
（付記３）
前記第１のケースと前記第１の保持部材が、または前記第２のケースと前記第２の保持部材が接着される
ことを特徴とする付記１または２に記載の筐体。
（付記４）
前記第１のケース及び前記第２のケースのうち少なくとも一方が嵌合用の穴を備え、前記第１の保持部材または前記第２の保持部材のうち前記嵌合用の穴のある方のケースに取り付ける保持部材が嵌合用の突起を備え、前記穴と前記突起が嵌合される
ことを特徴とする付記１から３のいずれかに記載の筐体。
（付記５）
前記第１の保持部材同士または前記第２の保持部材同士が連結して前記第１のケースまたは前記第２のケースに取り付けられる
ことを特徴とする付記１から４のいずれかに記載の筐体。
（付記６）
前記突起の形状が円柱状または多角柱状である
ことを特徴とする付記４から５のいずれかに記載の筐体。
（付記７）
前記突起の先端が面取りされた形状、または円弧状に形成された形状である
ことを特徴とする付記４から６のいずれかに記載の筐体。
（付記８）
前記穴が貫通していない
ことを特徴とする付記４から７のいずれかに記載の筐体。
（付記９）
前記第１の保持部材の形状と前記第２の保持部材の形状が同一である
ことを特徴とする付記１から８のいずれかに記載の筐体。
（付記１０）
前記第１の保持部材と前記第２の保持部材の少なくとも一方に相互に嵌合する部位を備えることを特徴とする付記１から９のいずれかに記載の筐体。
（付記１１）
第１の保持部材と第２の保持部材であり、
前記第１の保持部材と前記第２の保持部材の少なくとも一方に、保持対象の基板の端部を挟持する基板挟持部を備え、
前記第１の保持部材と前記第２の保持部材により前記保持対象の基板の前記端部を飛び飛びに挟持することを特徴とする保持部材。
（付記１２）
第１のケースと第２のケースとで筐体を組み立てたとき、前記第１のケースに取り付けられた第１の保持部材と前記第２のケースに取り付けられた第２の保持部材の少なくとも一方に保持対象の基板の端部を挟持する基板挟持部を備えた、前記第１の保持部材と前記第２の保持部材により前記保持対象の基板の前記端部が挟持される
ことを特徴とする基板保持方法。
【符号の説明】
【００４７】
１０、２０、４０、５０、６０、７０    保持部材
１１、２１、４１、５１、６１、７１    骨材
１２、２２、４２、５２、６２、７２    骨材外側面
１３、２３、４３、５３、６３、７３    骨材内側面
１４、２４、４４、５４、６４、７４    リブ
２５、５５、６５    基板挟持部
３０    基板
４５、５６、６６    突起
７５    リブ挟持部
１００、１０４    筐体
１０１、１０５    カバー
１０２、１０６    ケース
１０３    筐体固定用ネジ
１０７、１０８    穴
【図１】
0006441614.tif 000002
【図２】
0006441614.tif 000003
【図３】
0006441614.tif 000004
【図４】
0006441614.tif 000005
【図５】
0006441614.tif 000006
【図６】
0006441614.tif 000007
【図７】
0006441614.tif 000008
【図８】
0006441614.tif 000009
【図９】
0006441614.tif 000010
【図１０】
0006441614.tif 000011